(57)【要約】【課題】  梱包体の一部を被梱包物としての食器類を使用する際に利用することができる梱包体を提供する。【解決手段】  梱包体Ａは、スリーブ状部１２を有する梱包体本体１０と、食卓用トレーとして使用できる天板部２０と、同じく食卓用トレーとして使用できる底板部３０とを有している。天板部２０と底板部３０とは同じ構成であり、一方の面に凹部が形成されてトレー状に形成されていて、被梱包物としての食器類（紅茶わん、受け皿、紅茶ポット等）を載置できるようになっている。【選択図】        図２
2006168797.tif 000002
【特許請求の範囲】
【請求項１】
梱包体であって、
スリーブ状を呈するスリーブ状部を有する梱包体本体と、
梱包体本体の上側に着脱自在に設けられ、梱包体本体の上部をカバーするカバー部で、食卓用トレーとして使用できるカバー部と、
を有することを特徴とする梱包体。
【請求項２】
梱包体本体の下側にも、梱包体本体に着脱自在に設けられ、梱包体本体の下部をカバーするカバー部で、食卓用トレーとして使用できるカバー部が設けられていることを特徴とする請求項１に記載の梱包体。
【請求項３】
上記梱包体本体には、上記スリーブ状部の内側面又は下端に接続され、梱包体本体内の収納空間の底面を形成する板状部が設けられていることを特徴とする請求項１又は２に記載の梱包体。
【請求項４】
上記カバー部の一方の面には、凹部が形成され、該凹部に食器が載置できるようになっていることを特徴とする請求項１又は２又は３に記載の梱包体。
【請求項５】
上記カバー部は、板状を呈する本体部と、該本体部の一方の面に設けられ、本体部の外形よりも小さい外形を有する突状部とを有し、カバー部の一方の面側の周囲には、切欠部による段差が形成され、上記カバー部を上記梱包体本体に装着した際に、該突状部がスリーブ状部内に存在するように構成されていることを特徴とする請求項１又は２又は３又は４に記載の梱包体。
【請求項６】
上記梱包体本体とカバー部とを組み合わせた状態で該状態を固定するための固定手段が設けられていることを特徴とする請求項１又は２又は３又は４又は５に記載の梱包体。
【請求項７】
上記スリーブ状部が、４つの方形状の側面部から構成され、上記カバー部の平面視における外形形状は略四角形状を呈することを特徴とする請求項１又は２又は３又は４又は５又は６に記載の梱包体。
【請求項８】
梱包体セットであって、
請求項１又は２又は３又は４又は５又は６又は７に記載の梱包体と、
梱包体内に梱包される食器と、
を有することを特徴とする梱包体セット。
【発明の詳細な説明】
【技術分野】
【０００１】
本発明は、箱、パッケージ等の梱包体に関するものであり、特に、紅茶わん（紅茶カップ）、コーヒーわん（コーヒーカップ）、受け皿等の食器類を梱包する梱包体に関するものである。
【背景技術】
【０００２】
従来より、紅茶わん、受皿等の陶磁器製の食器類を梱包する梱包体としては、通常の箱体を用いるのが一般的である。すなわち、例えば、方形状の底面部と該底面部の各辺部から立設した側面部からなる箱本体と、箱本体の上面をカバーする蓋体とからなり、該箱本体に被梱包物としての食器類を収納した後に蓋体でカバーすることにより、食器類が梱包される。
【０００３】
また、従来の梱包システムとして、パレットと、スリーブと、蓋兼中間トレーとから構成されている梱包システムが存在する（特許文献１）。
【特許文献１】特開２００４−４２９３２号公報
【発明の開示】
【発明が解決しようとする課題】
【０００４】
しかし、従来からの食器類の梱包体においては、該梱包体は梱包体にのみ使用され、食器類の使用に際して利用できる機能を有してはおらず、梱包体は、食器類を梱包して運んだ後には、食器類を保管するのに利用できる以外は、特に利用することはできず、梱包体を廃棄してしまうこともしばしばである。
【０００５】
また、上記特許文献１においては、パレットと、スリーブと、蓋兼中間トレーが設けられており、この蓋兼中間トレーは、蓋としても中間トレーとしても使用できるものではあるが、被梱包物としての食器類を使用するに際して利用できるものではない。
【０００６】
そこで、本発明は、梱包体の一部を被梱包物としての食器類を使用する際に利用することができる梱包体を提供することを目的とするものである。
【課題を解決するための手段】
【０００７】
本発明は上記問題点を解決するために創作されたものであって、第１には、梱包体であって、スリーブ状を呈するスリーブ状部を有する梱包体本体と、梱包体本体の上側に着脱自在に設けられ、梱包体本体の上部をカバーするカバー部で、食卓用トレーとして使用できるカバー部と、を有することを特徴とする。
【０００８】
この第１の構成の梱包体においては、梱包体本体がスリーブ状部を有しているので、このスリーブ状部内に被梱包物（被収納物としてもよい）を収納する。そして、カバー部により梱包体本体の上部をカバーして梱包する。被梱包物を使用する際には、梱包体から被梱包物を取り出して使用するが、カバー部が食卓用トレーとして使用できるので、カバー部を食卓用トレーとして利用でき、被梱包物を食器類とした場合に、梱包体の一部を被梱包物としての食器類を使用する際に利用することができ、食器類をカバー部上に載置して使用することができる。よって、梱包体の一部を食卓用トレーとして兼用できるので、経済的であり、別途食卓用トレーを梱包する必要がないので、梱包体の大きさも小型化できる。また、梱包体を廃棄する場合でも、カバー部を廃棄する必要がないので、廃棄が容易となる。
【０００９】
また、第２には、上記第１の構成において、梱包体本体の下側にも、梱包体本体に着脱自在に設けられ、梱包体本体の下部をカバーするカバー部で、食卓用トレーとして使用できるカバー部が設けられていることを特徴とする。よって、梱包体の下部をカバーするカバー部も食卓用トレーとして利用できるので、梱包体の上部をカバーするカバー部も含めると、２つの食卓用トレーを得ることができ、例えば、被梱包物が食器の場合には、食器をカバー部上に載置して使用することができる。よって、梱包体を構成する２つの部材を食卓用トレーとして兼用できるので、より経済的であり、別途食卓用トレーを梱包する必要がないので、梱包体の大きさも小型化できる。また、梱包体を廃棄する場合でも、カバー部を廃棄する必要がないので、廃棄が容易となる。
【００１０】
また、第３には、上記第１又は第２の構成において、上記梱包体本体には、上記スリーブ状部の内側面又は下端に接続され、梱包体本体内の収納空間の底面を形成する板状部が設けられていることを特徴とする。この板状部とスリーブ状部とにより、梱包体本体が箱状に形成されるので、被梱包物を容易に収納することが可能となる。
【００１１】
また、第４には、上記第１から第３までのいずれかの構成において、上記カバー部の一方の面には、凹部が形成され、該凹部に食器が載置できるようになっていることを特徴とする。よって、カバー部を食器を載置できる食卓用トレーとして利用することができる。
【００１２】
また、第５には、上記第１から第４までのいずれかの構成において、上記カバー部は、板状を呈する本体部と、該本体部の一方の面に設けられ、本体部の外形よりも小さい外形を有する突状部とを有し、カバー部の一方の面側の周囲には、切欠部による段差が形成され、上記カバー部を上記梱包体本体に装着した際に、該突状部がスリーブ状部内に存在するように構成されていることを特徴とする。よって、突状部をスリーブ状部に嵌合させることが可能となるので、スリーブ状部の上部又は下部をしっかりとカバーすることができる。また、カバー部における本体部の側面と梱包体本体の側面とを面一にすることができるので、梱包体の形状をシンプルにでき、見た目も良好にできる。
【００１３】
また、第６には、上記第１から第５までのいずれかの構成において、上記梱包体本体とカバー部とを組み合わせた状態で該状態を固定するための固定手段が設けられていることを特徴とする。この固定手段としては、例えば、伸縮性を有するリング状部材（環状部材）が挙げられる。この固定手段により、梱包体全体を梱包状態で固定できるので、運搬や保管が容易となる。
【００１４】
また、第７には、上記第１から第６までのいずれかの構成において、上記スリーブ状部が、４つの方形状の側面部から構成され、上記カバー部の平面視における外形形状は略四角形状を呈することを特徴とする。これにより、梱包体を通常の箱体の形状とでき、使い勝手がよい梱包体とすることができる。
【００１５】
また、第８には、梱包体セットであって、上記第１又は２又は３又は４又は５又は６又は７の構成の梱包体と、梱包体内に梱包される食器と、を有することを特徴とする。これにより、食卓用トレーとしてのカバー部に食器を載置して使用することができ、食器用のトレーを別途用意する必要がない。
【００１６】
なお、上記構成において、上記カバー部における突状部が設けられている側の面には、凹部が形成され、該凹部に食器が載置できるようになっているようにしてもよい。また、上記カバー部の端部には、切欠部が設けられているものとしてもよい。このように切欠部が設けられていることにより、梱包体や食卓用トレーとしてのカバー部を持ち運ぶ際等にこの切欠部に手を引っ掛けることができる。また、上記梱包体本体は、段ボール製であるものとしてもよい。また、上記カバー部は、木製であるものとしてもよい。また、上記構成において、食器は、紅茶わん、コーヒーわん、受け皿、紅茶ポット、コーヒーポット、皿における少なくともいずれかであるものとしてもよい。
【発明の効果】
【００１７】
本発明に基づく梱包体によれば、梱包体の一部を食卓用トレーとして兼用できるので、経済的であり、別途食卓用トレーを梱包する必要がないので、梱包体の大きさも小型化できる。また、梱包体を廃棄する場合でも、カバー部を廃棄する必要がないので、廃棄が容易となる。
【発明を実施するための最良の形態】
【００１８】
本発明においては、梱包体の一部を被梱包物としての食器類を使用する際に利用することができる梱包体を提供するという目的を以下のようにして実現した。
【実施例１】
【００１９】
本発明に基づく梱包体Ａは、図１〜図４に示されるように構成され、梱包体本体１０と、天板部（カバー部）２０と、底板部（カバー部）３０と、ベルト（固定手段）３８とを有している。
【００２０】
ここで、梱包体本体１０は、スリーブ状部１２と、底面部（板状部）１４とを有している。このスリーブ状部１２は、４つの板状部により筒状を呈していて、第１側面部１２ａと、第２側面部１２ｂと、第３側面部１２ｃと、第４側面部１２ｄとにより筒状にされたものである。ここで、第１側面部１２ａと、第２側面部１２ｂと、第３側面部１２ｃと、第４側面部１２ｄとは、ともに方形状を呈する板状を呈し、高さ方向には同じ幅を有している。また、第１側面部１２ａと第３側面部１２ｃとは同大同形状に形成され、互いに平行に設けられ、また、第２側面部１２ｂと第４側面部１２ｄとは同大同形状に形成されて、互いに平行に設けられている。これにより、スリーブ状部１２の上部と下部には、方形状の開口部が形成されている。このスリーブ状部１２は、段ボール材を用いて形成されている。
【００２１】
また、底面部１４は、スリーブ状部１２の内部の底部側に設けられ、底面部本体１４ａと、接続部１４ｂとを有している。この底面部本体１４ａは、２つの板状部１４ａ−１と、２つの板状部１４ａ−１間に設けられた凸状部１４ａ−２とを有している。この板状部１４ａ−１は、第１側面部１２ａ〜第４側面部１２ｄの各側面部に対して直角に形成されている。この板状部１４ａ−１の高さ方向の位置は、スリーブ状部１２の下端よりも若干上方となっている。つまり、梱包体本体１０の下側の空間には、底板部３０の板状部３４が嵌合するので、少なくとも、スリーブ状部１２の下端と板状部１４ａ−１の下面との距離は、板状部３４の厚み以上である必要がある。また、凸状部１４ａ−２は、板状部１４ａ−１の端部から斜め上方に立設した板状部と、該立設した板状部間に設けられた板状部（この板状部は、板状部１４ａ−１とは平行に設けられている）により形成され、この凸状部１４ａ−２により梱包体本体１０内の空間における底部空間が２つに仕切られている。また、接続部１４ｂは、板状部１４ａ−１の端部から連設されていて、一方の接続部１４ｂは第１側面部１２ａに接着して接続され、他方の接続部１４ｂは第３側面部１２ｃに接着して接続されている。なお、この底面部１４は、上記の構成として説明したが、これには限られず、スリーブ状部１２の内部の底部側に設けられ、梱包体本体１０内に収納される被梱包物を支持できるものであればよく、例えば、底面部本体１４ａが単に板状部材であってもよい。なお、この底面部１４は、１枚の方形状のシート状部材（具体的には、段ボール材）を折曲することにより形成されている。この底面部１４は、「スリーブ状部の内側面又は下端に接続され、梱包体本体内の収納空間の底面を形成する板状部」に当たる。
【００２２】
次に、天板部２０と底板部３０について説明する。天板部２０と底板部３０とは同じ構成であるので、底板部３０を例に取って説明する。
【００２３】
底板部３０は、図２等に示すように、全体にトレー状を呈し、底板部本体（本体部）３２と、板状部（突状部）３４とを有している。この底板部本体３２は、全体に板状、つまり、平面視において方形状（具体的には、長方形状）の板状を呈していて、両側の短手辺側の角部には、切欠部３２ａが設けられている。つまり、底板部本体３２の底面と短手側の側面に切欠部３２ａが設けられている。この切欠部３２ａは、底板部３０を食卓用トレー（食卓用盆）として使用する場合や、図１のように梱包状態で持つ場合に、手を引っ掛ける部分となる。この底板部本体３２の平面視における外形は、梱包体本体１０の平面視における外形と同じに形成され、底板部３０と梱包体本体１０とを嵌合させた際に、底板部本体３２の側面と梱包体本体１０の側面が面一になるようになっている。
【００２４】
また、板状部３４は、開口部を有する板状の部材であり、方形状の外形形状を呈し、開口部３４ａと開口部３４ｂとが設けられている。この板状部３４の平面視における外形は、底板部本体３２の平面視における外形よりもひと回り小さく形成されていて、これにより、底板部本体３２の上面の周囲部分と板状部３４の外側の側面とで切欠部３６が形成されている。つまり、底板部３０の上側の周囲はこの切欠部３６により段状に形成されている。この切欠部３６の幅αは、底板部３０に梱包体本体１０を配置した際に、板状部３４がスリーブ状部１２内に収まるように、スリーブ状部１２を構成する部材の厚み以上の大きさとなっており、好ましくは、板状部３４の側面がスリーブ状部１２の内周にぴったり嵌合するように、スリーブ状部１２を構成する部材の厚みと同じか若干大きく形成されている。また、開口部３４ａは、全体にＬ字状を呈し、幅広長方形状の開口部と細長長方形状の開口部とを併せた形状を呈している。また、開口部３４ｂは、略円形状を呈している。なお、これらの開口部の形状は、上記には限られず任意であり、開口部の数も２つには限られない。そして、板状部３４は、底板部本体３２の上面に接着等により固定されている。これにより、底板部３０の上面には、開口部３４ａと開口部３４ｂによって凹部が形成され、この凹部により底板部３０がトレー状に形成され、食器類を載置できるようになっている。
【００２５】
この底板部３０は木製であり、底板部本体３２と板状部３４はともに木製であるが、底板部３０を構成する部材の素材としては、これに限られない。
【００２６】
また、天板部２０の構成は、底板部３０と同じ構成であるので詳しい説明を省略する。つまり、天板部２０は、図４等に示すように、全体にトレー状を呈し、天板部本体（本体部）２２と、板状部（突状部）２４とを有している。この天板部本体２２は、全体に板状、つまり、平面視において方形状（具体的には、長方形状）の板状を呈していて、両側の短手辺側の角部には、切欠部２２ａが設けられている。この天板部本体２２の平面視における外形は、梱包体本体１０の平面視における外形と同じに形成され、天板部２０と梱包体本体１０とを嵌合させた際に、天板部本体２２の側面と梱包体本体１０の側面が面一になるようになっている。
【００２７】
また、板状部２４は、開口部を有する板状の部材であり、方形状の外形形状を呈し、開口部２４ａと開口部２４ｂとが設けられている。この板状部２４の平面視における外形は、天板部本体２２の平面視における外形よりもひと回り小さく形成されていて、これにより、天板部本体２２の上面の周囲部分と板状部２４の外側の側面とで切欠部２６が形成されている。また、開口部２４ａは、全体にＬ字状を呈し、幅広長方形状の開口部と細長長方形状の開口部とを併せた形状を呈している。また、開口部２４ｂは、略円形状を呈している。なお、これらの開口部の形状は、上記には限られず任意であり、開口部の数も２つには限られない。そして、板状部２４は、天板部本体２２の上面に接着等により固定されている。これにより、天板部２０の上面には、開口部２４ａと開口部２４ｂによって凹部が形成され、この凹部により天板部２０がトレー状に形成され、食器類を載置できるようになっている。
【００２８】
この天板部２０は木製であり、天板部本体２２と板状部２４はともに木製であるが、天板部２０を構成する部材の素材としては、これに限られない。
【００２９】
また、ベルト３８は、リング状を呈し、伸縮性を有する帯状の部材によりリング状に形成されている。このベルト３８は、梱包体本体１０と、天板部２０と、底板部３０とを組み合わせた際にその組み合わせ状態を固定するための部材である。
【００３０】
上記構成の梱包体Ａの使用状態について説明する。この梱包体Ａには、紅茶わん（紅茶カップ）、コーヒーわん（コーヒーカップ）、受け皿、紅茶ポット、コーヒーポット等の食器類を梱包して使用する。以下では、紅茶わんと、受け皿と、紅茶ポットを梱包する場合を例に取って説明するが、コーヒーわんと、受け皿と、コーヒーポットの組み合わせでもよく、また、他の食器でもよい。すなわち、食卓用トレーとしての天板部２０や底板部３０に載せて使用できる食器であればよく、天板部２０や底板部３０に載せて使用できるものであれば、食器以外のものを梱包してもよい。
【００３１】
まず、梱包の手順について説明する。底板部３０の上に梱包体本体１０を配置して、底板部３０と梱包体本体１０とを組み合わせる。つまり、底板部３０の板状部３４をスリーブ状部１２の下端の内側に嵌合させて、底板部３０と梱包体本体１０とを組み合わせる。
【００３２】
次に、梱包体本体１０内の底部に受け皿５４ａ、５４ｂを収納する。つまり、底面部１４における凸状部１４ａ−２により梱包体本体１０内の底部の空間は仕切られているので、各空間に受け皿５４ａ、５４ｂを収納する。この受け皿５４ａ、５４ｂは同じ構成である。
【００３３】
次に、梱包体本体１０内に上から板状の緩衝材４０を収納する。この緩衝材４０は、方形状の板状を呈し、梱包体本体１０内の空間部の平面視における形状よりも若干小さく形成されている。この緩衝材４０は、例えば、段ボール材により形成されている。
【００３４】
次に、梱包体本体１０内に緩衝材４０の上から、緩衝材４２、４４、４６を配置する。ここで、緩衝材４２は、一対の平面部４２ａと、平面部４２ａ間に設けられた凸状部４２ｂとを有していて、この凸状部４２ｂにより緩衝材４０の上部の空間を仕切るようになっている。また、緩衝材４４は、一対の方形状の板状部と該一対の板状部の端部間をつなぐ帯状部とにより断面略コ字状に形成され、そのＸ方向の長さは、梱包体本体１０の内部空間のＸ方向の長さと同様又は若干短く形成され、また、緩衝材４４の高さ（つまり、Ｚ方向の長さ）は、緩衝材４２の高さと略同様となっている。また、緩衝材４６は、緩衝材４４と同様に、一対の方形状の板状部と該一対の板状部の端部間をつなぐ帯状部とにより断面略コ字状に形成されている。
【００３５】
このようにして、緩衝材４２の凸条部４２ｂや、緩衝材４４や、緩衝材４６により緩衝材４０の上方の空間が仕切られるので、各空間に、紅茶わん５０ａ、５０ｂと、紅茶ポット５２ａ、５２ｂを収納する。
【００３６】
被梱包物としての紅茶わん５０ａ、５０ｂと、紅茶ポット５２ａ、５２ｂと、受け皿５４ａ、５４ｂの収納が完了したら、天板部２０を梱包体本体１０の上部に配置して、天板部２０と梱包体本体１０とを組み合わせる。つまり、天板部２０の板状部２４をスリーブ状部１２の上端の内側に嵌合させて、天板部２０と梱包体本体１０とを組み合わせる。なお、天板部２０と梱包体本体１０とを組み合わせた際に、板状部２４が梱包体本体１０内に嵌合するので、緩衝材４２、４４、４６や、紅茶わん５０ａ、５０ｂと、紅茶ポット５２ａ、５２ｂと、受け皿５４ａ、５４ｂ等の被梱包物を収納した際には、これらの頂面と梱包体本体１０の上端との間の距離は、板状部２４の厚み以上である必要がある。
【００３７】
以上のように、梱包体本体１０と天板部２０と底板部３０とを組み合わせたら、ベルト３８を図１に示すように巻回して、梱包体本体１０と天板部２０と底板部３０とを一体に固定する。これにより梱包が完了する。なお、実際には、ベルト３８を巻回した状態の梱包体Ａを他の箱体に収納してさらに梱包することが好ましい。上記のように、梱包体に被梱包物を梱包した状態のものが上記梱包体セットとなる。
【００３８】
次に、上記のように梱包された梱包体Ａに梱包された被梱包物を使用する場合には、梱包状態を解いて、紅茶わん５０ａ、５０ｂと、紅茶ポット５２ａ、５２ｂと、受け皿５４ａ、５４ｂを取り出して使用する。
【００３９】
その際、天板部２０と底板部３０とは、食卓用トレーの形状に形成されているので、図４に示すように、天板部２０や底板部３０の凹部が設けられている側に、紅茶わん５０ａ、５０ｂと、紅茶ポット５２ａ、５２ｂと、受け皿５４ａ、５４ｂを置いて使用する。
【００４０】
また、紅茶わん５０ａ、５０ｂ等の食器類や食卓用トレーとしての天板部２０、底板部３０を使用せずに保管する場合には、上記のように梱包された状態にすればよい。
【００４１】
以上のように、本実施例の梱包体によれば、天板部２０と底板部３０とが食卓用トレーとして使用できるので、梱包体の一部を被梱包物としての食器類を使用する際に利用することができる。特に、天板部と底板部とを食卓用トレーとして兼用できるので、経済的であり、別途食卓用トレーを梱包する必要がないので、梱包体の大きさも小型化できる。また、梱包体を廃棄する場合でも、梱包体本体１０と、梱包体Ａ内に入れられた緩衝材のみを廃棄すればよいので、廃棄が容易となる。
【実施例２】
【００４２】
次に、実施例２について説明する。実施例２における梱包体Ｂは、図５〜図８に示されるように構成され、梱包体本体１１０と、天板部（カバー部）１２０と、ベルト（固定手段）１３０とを有している。
【００４３】
ここで、梱包体本体１１０は、上面が開口した箱体であり、スリーブ状部１１２と、底面部１１４とを有している。このスリーブ状部１１２は、４つの板状部により筒状を呈していて、第１側面部１１２ａと、第２側面部１１２ｂと、第３側面部１１２ｃと、第４側面部１１２ｄとにより筒状にされたものである。ここで、第１側面部１１２ａと、第２側面部１１２ｂと、第３側面部１１２ｃと、第４側面部１１２ｄとは、ともに方形状を呈する板状を呈し、高さ方向には同じ幅を有している。また、第１側面部１１２ａと第３側面部１１２ｃとは同大同形状に形成され、互いに平行に設けられ、また、第２側面部１１２ｂと第４側面部１１２ｄとは同大同形状に形成されて、互いに平行に設けられている。このスリーブ状部１１２は、段ボール材を用いて形成されている。
【００４４】
また、底面部１１４は、スリーブ状部１１２の下端に設けられ、方形状の板状を呈している。つまり、底面部１１４は、第１側面部１１２ａ、第２側面部１１２ｂ、第３側面部１１２ｃ、第４側面部１１２ｄの下端から連設されていて、スリーブ状部１１２の下側の開口部を塞ぐ形に形成されている。この底面部１１４は、「スリーブ状部の内側面又は下端に接続され、梱包体本体内の収納空間の底面を形成する板状部」に当たる。以上のように、梱包体本体１１０は、上面が開口した通常の箱体の構成であるといえる。
【００４５】
次に、天板部１２０について説明する。天板部１２０は、図５、図７等に示すように、全体にトレー状を呈し、天板部本体（本体部）１２２と、板状部（突状部）１２４とを有している。この天板部本体１２２は、全体に板状、つまり、平面視において方形状（具体的には、長方形状）の板状を呈していて、両側の短手辺側の角部には、切欠部１２２ａが設けられている。つまり、図５、図７に示すように、天板部本体１２２の上面と短手側の側面に切欠部１２２ａが設けられている。この切欠部１２２ａは、天板部１２０を食卓用トレー（食卓用盆）として使用する場合に、手を引っ掛ける部分となる。この天板部本体１２２の平面視における外形は、梱包体本体１１０の平面視における外形と同じに形成され、天板部１２０と梱包体本体１１０とを嵌合させた際に、天板部本体１２２の側面と梱包体本体１１０の側面が面一になるようになっている。
【００４６】
また、板状部１２４は、開口部を有する板状の部材であり、方形状の外形形状を呈し、開口部１２４ａが設けられている。この板状部１２４の平面視における外形は、天板部本体１２２の平面視における外形よりもひと回り小さく形成されていて、これにより、天板部本体１２２の上面の周囲部分と板状部１２４の外側の側面とで切欠部１２６が形成されている。つまり、天板部１２０の上側の周囲はこの切欠部１２６により段状に形成されている。この切欠部１２６の幅βは、天板部１２０を梱包体本体１１０の上部に配置した際に、板状部１２４がスリーブ状部１１２内に収まるように、スリーブ状部１１２を構成する部材の厚み以上の大きさとなっており、好ましくは、板状部１２４の側面がスリーブ状部１１２の内周にぴったり嵌合するように、スリーブ状部１１２を構成する部材の厚みと同じか若干大きく形成されている。また、開口部１２４ａは、全体に楕円形状を呈している。この楕円形状の形状と大きさは、梱包される皿１５０、１５２を配置できる形状と大きさとなっていて、図８に示すように、１つの皿１５０の両側に皿１５２を配置した状態の皿セット１６０の底面と同じ形状・大きさを呈し、この皿セット１６０が丁度納まる形状・大きさとなっている。そして、板状部１２４は、天板部本体１２２の上面に接着等により固定されている。これにより、天板部１２０の上面には、開口部１２４ａによって凹部が形成され、この凹部により天板部１２０がトレー状に形成され、食器類を載置できるようになっている。
【００４７】
この天板部１２０は木製であり、天板部本体１２２と板状部１２４はともに木製であるが、天板部１２０を構成する部材の素材としては、これに限られない。
【００４８】
また、ベルト１３０は、リング状を呈し、伸縮性を有する帯状の部材によりリング状に形成されている。このベルト１３０は、梱包体本体１１０と、天板部１２０とを組み合わせた際にその組み合わせ状態を固定するための部材である。
【００４９】
上記構成の梱包体Ｂの使用状態について説明する。この梱包体Ｂには、皿等の食器類を梱包して使用する。以下では、サラダ用の皿を梱包する場合を例に取って説明するが、他の食器でもよい。すなわち、食卓用トレーとしての天板部１２０に載せて使用できる食器であればよく、天板部１２０に載せて使用できるものであれば、食器以外のものを梱包してもよい。
【００５０】
まず、梱包の手順について説明する。梱包体本体１１０内に皿セット１６０を収納する。つまり、１つの皿１５０と２つの皿１５２を収納するが、その際、緩衝材１４０、１４２も併せて収納する。
【００５１】
被梱包物としての皿１５０や皿１５２の収納が完了したら、天板部１２０を梱包体本体１１０の上部に配置して、天板部１２０と梱包体本体１１０とを組み合わせる。つまり、天板部１２０の板状部１２４をスリーブ状部１１２の上端の内側に嵌合させて、天板部１２０と梱包体本体１１０とを組み合わせる。なお、天板部１２０と梱包体本体１１０とを組み合わせた際に、板状部１２４が梱包体本体１０内に嵌合するので、緩衝材１４０、１４２や、皿１５０、１５２等の被梱包物を収納した際には、これらの頂面と梱包体本体１１０の上端との間の距離は、板状部１２４の厚み以上である必要がある。
【００５２】
以上のように、梱包体本体１１０と天板部１２０とを組み合わせたら、ベルト１３０を図５に示すように巻回して、梱包体本体１１０と天板部１２０とを一体に固定する。これにより梱包が完了する。なお、実際には、ベルト１３０を巻回した状態の梱包体Ｂを他の箱体に収納してさらに梱包することが好ましい。上記のように、梱包体に被梱包物を梱包した状態のものが上記梱包体セットとなる。
【００５３】
次に、上記のように梱包された梱包体Ｂに梱包された被梱包物を使用する場合には、梱包状態を解いて、皿１５０と、２つの皿１５２を取り出して使用する。
【００５４】
その際、天板部１２０は、食卓用トレーの形状に形成されているので、図８に示すように、天板部１２０の凹部が設けられている側に、皿セット１６０（つまり、皿１５０と２つの皿１５２）を置いて使用する。
【００５５】
また、皿セット１６０や食卓用トレーとしての天板部１２０を使用せずに保管する場合には、上記のように梱包された状態にすればよい。
【００５６】
以上のように、本実施例の梱包体によれば、天板部１２０が食卓用トレーとして使用できるので、梱包体の一部を被梱包物としての食器類を使用する際に利用することができる。特に、天板部を食卓用トレーとして兼用できるので、経済的であり、別途食卓用トレーを梱包する必要がないので、梱包体の大きさも小型化できる。また、梱包体を廃棄する場合でも、梱包体本体１１０と、梱包体Ｂ内に入れられた緩衝材のみを廃棄すればよいので、廃棄が容易となる。
【００５７】
なお、上記各実施例において、スリーブ状部１２、１１２は、４つの方形状の側面部からなる四角形状の筒状であるとして説明したが、スリーブ状、つまり、筒状であれば他の形状であってもよい。例えば、円筒状のスリーブ状としてもよい。その場合、トレーとしての天板部や底板部は、スリーブ状部の形状に併せた形状とする。例えば、円筒状のスリーブ状部とした場合には、天板部や底板部は、円形の外形とする。
【図面の簡単な説明】
【００５８】
【図１】本発明の実施例１に基づく梱包体を示す斜視図である。
【図２】本発明の実施例１に基づく梱包体を示す分解斜視図であり、被梱包物を収納した状態を示す分割斜視図である。
【図３】本発明の実施例１に基づく梱包体の被梱包物を収納した状態を示す断面図であり、図１におけるＰ−Ｐ線で切断した状態の断面図である。
【図４】本発明の実施例１に基づく梱包体における天板部や底板部の使用状態を示す斜視図である。
【図５】本発明の実施例２に基づく梱包体を示す斜視図である。
【図６】本発明の実施例２に基づく梱包体における被梱包物の収納状態を示す斜視図である。
【図７】本発明の実施例２に基づく梱包体における天板部を示す斜視図である。
【図８】本発明の実施例２に基づく梱包体における天板部の使用状態を示す斜視図である。
【符号の説明】
【００５９】
Ａ、Ｂ  梱包体
１０、１１０  梱包体本体
１２、１１２  スリーブ状部
１４、１１４  底面部
２０、１２０  天板部
２２、１２２  天板部本体
２４、３４、１２４  板状部
２２ａ、３２ａ、１２２ａ  切欠部
２６、３６、１２６  切欠部
３０  底板部
３２  底板部本体
３８、１３０  ベルト
５０ａ、５０ｂ  紅茶わん
５２ａ、５２ｂ  紅茶ポット
５４ａ、５４ｂ  受け皿
１６０  皿セット
【図１】
2006168797.tif 000003
【図２】
2006168797.tif 000004
【図３】
2006168797.tif 000005
【図４】
2006168797.tif 000006
【図５】
2006168797.tif 000007
【図６】
2006168797.tif 000008
【図７】
2006168797.tif 000009
【図８】
2006168797.tif 000010